(57)【要約】【課題】操作者が一人でＡＴＭ等における貨幣カセットの補充を可能とする貨幣カセット補充装置を提供する。【解決手段】貨幣カセット（１００）の蓋（１１０）を取外すことなく、貨幣カセット（１００）内に少なくとも１枚の紙幣を装填する貨幣カセット補充装置（４００）を備える。装置（４００）は、貨幣カセット（１００）を装填位置に配置し、貨幣カセット（１００）の取り出し口（２１０）を開ける貨幣カセット支持体（４２０）と、少なくとも１枚の紙幣に係合し、係合された紙幣を取り出し口（２１０）を通して貨幣カセット（１００）内に挿入するように動作可能な貨幣挿入装置（４４８）とを備える。【選択図】図４
2014032658.tif 000002
【特許請求の範囲】
【請求項１】
貨幣カセット（１００）の蓋（１１０）を取外すことなく、前記貨幣カセット（１００）内に少なくとも１枚の紙幣を装填する貨幣カセット（１００）補充装置（４００）であって、
貨幣カセット（１００）を装填位置に配置し、前記貨幣カセット（１００）の取り出し口（２１０）を開ける貨幣カセット支持体（４２０）と、
少なくとも１枚の紙幣に係合し、該係合された紙幣を前記取り出し口（２１０）を通して前記貨幣カセット（１００）内に挿入するように動作可能な貨幣挿入装置（４４８）と、
を備える貨幣カセット補充装置（４００）。
【請求項２】
前記貨幣挿入装置（４４８）が、プランジャを備える、請求項１に記載の貨幣カセット補充装置（４００）。
【請求項３】
前記プランジャ（４４８）が、前記貨幣カセット（１００）の完全に外側の第１の位置から、前記貨幣カセット（１００）の前記取り出し口を通って、少なくとも部分的に前記貨幣カセット（１００）内の第２の位置へ延在できる、請求項２に記載の貨幣カセット補充装置（４００）。
【請求項４】
前記貨幣カセット支持体（４２０）が、前記貨幣カセット（１００）の対向する両側に係合するガイドレールを備える、請求項１乃至３のいずれかに記載の貨幣カセット補充装置（４００）。
【請求項５】
前記貨幣カセット支持体（４２０）が、前記貨幣カセット（１００）が設置されるベース面を画定する、請求項１乃至４のいずれかに記載の貨幣カセット補充装置（４００）。
【請求項６】
前記貨幣カセット支持体（４２０）が、前記貨幣カセット（１００）を傾斜させて保持するように構成される、請求項４又は５に記載の貨幣カセット補充装置（４００）。
【請求項７】
前記貨幣カセット支持体（４２０）が、前記貨幣カセット（１００）の前記取り出し口端部（１５０）が前記カセット（１００）のハンドル端部（１４５）よりも低くなるように前記貨幣カセット（１００）を傾斜させて保持するように構成される、請求項６に記載の貨幣カセット補充装置（４００）。
【請求項８】
前記貨幣カセット補充装置（４００）が、個別の紙幣又は紙幣の束を前記貨幣カセット（１００）内に装填するように前記装置（４００）内に挿入するための紙幣挿入アパーチャ（４３０）をさらに備える、請求項１乃至７のいずれかに記載の貨幣カセット補充装置（４００）。
【請求項９】
前記貨幣カセット補充装置（４００）が、受領した紙幣の束を前記紙幣挿入アパーチャ（４３０）から前記取り出し口（２１０）に隣接する、前記受領した束を前記貨幣カセット（１００）内の任意の紙幣の向きに合った向きに維持するプレステージホルダ（４４２）へ搬送する搬送装置（４３６）をさらに備える、請求項８に記載の貨幣カセット補充装置（４００）。
【請求項１０】
前記プレステージホルダ（４４２）が、前記取り出し口（２１０）に整列した１対のドライブスルーアパーチャ（５４０，５５０）を画定する、請求項９に記載の貨幣カセット補充装置（４００）。
【請求項１１】
少なくとも１枚の紙幣を貨幣カセット（１００）内に装填する方法であって、
少なくとも１枚の紙幣を貨幣カセット（１００）の取り出し口（２１０）に隣接する位置にあるプレステージホルダ（４４２）で支持するステップと、
前記プレステージホルダ（４４２）と前記取り出し口（２１０）とを通して、プランジャ（４４８）を少なくとも部分的に前記貨幣カセット（１００）内へ延在させて、前記プレステージホルダ（４４２）で支持された少なくとも１枚の紙幣を前記貨幣カセット（１００）内のスタックされた構成に付勢するステップと、
の各ステップを有することを特徴とする貨幣カセット装填方法。
【請求項１２】
前記プランジャ（４４８）を後退位置へ後退させるステップと、
紙幣又は紙幣の束を前記プレステージホルダ（４４２）へ搬送するステップと、
前記搬送された紙幣又は紙幣の束を前記貨幣カセット（１００）内のスタックされた構成に付勢する延在ステップを繰り返すステップと、
の各ステップをさらに含むことを特徴とする請求項１１に記載の貨幣カセット装填方法。
【請求項１３】
セキュアな制御ゾーンから前記紙幣を前記プレステージホルダ（４４２）を介し、その後前記カセット（１００）内に自動的に搬送するステップをさらに含む、請求項１２に記載の貨幣カセット装填方法。
【請求項１４】
紙幣インターフェイス（４３０）から紙幣を受領するステップと、前記受領した紙幣の妥当性検査を行うステップと、前記受領した紙幣を前記プレステージホルダ（４４２）へ搬送するステップとをさらに含む、請求項１１乃至１３のいずれかに記載の貨幣カセット装填方法。
【請求項１５】
前記プレステージホルダ（４４２）が装填口を画定する、請求項１１乃至１４のいずれかに記載の貨幣カセット装填方法。
【発明の詳細な説明】
【技術分野】
【０００１】
本発明は、カセット補充方法及び装置に関する。特に、本発明は貨幣カセット補充装置及びその自動的な使用方法に関するが、これらに限定されない。
【背景技術】
【０００２】
媒体カセットは、多くのタイプのセルフサービス端末装置（ＳＳＴ）での自動取り出し及び払い出しのためにシート形態の媒体を保管するために使用される。例えば、媒体カセットの１つの具体的なタイプは、現金自動預払機（ＡＴＭ）で使用できる貨幣カセットである。ＡＴＭは、各々がそれぞれの値を有する紙幣を保管する貨幣カセットの形態の複数の媒体カセットを含んでもよい。
【０００３】
典型的な貨幣カセットは、数千枚の紙幣（銀行券とも呼ばれる）を整然とした配列で保管する。この銀行券の整然とした配列は、貨幣カセット内の整然とした配列が紙幣が１枚ずつカセットから取り出される際にピッキング領域に確実に接触しているように、ばね板（プッシャープレートと呼ばれる）によって貨幣カセットのピッキング領域側に付勢される。
【０００４】
従来、貨幣カセットに紙幣を補充する場合、貨幣カセットの蓋を取外し、ばね板を後退させ、後退させたばね板とピッキング領域との間に新しい紙幣の配列が配置されていた。操作者が一人だけでばね板を後退させ、ばね板を後退位置に保持している間に新しい銀行券の配列を挿入することは極めて困難である。この場合、挿入された銀行券が不正確に装填されて、貨幣カセットからこれらの銀行券を取り出す際に問題が生じることがある。また、貨幣カセットの蓋を取外すには時間がかかる。
【０００５】
閉鎖サイクルの現金管理のためのＡＴＭに関連付けられた最近の貨幣業界の動向として、顧客はオペレータが紙幣に触れることなくカセットを装置間で搭載し移動させる方法を探っている。これによって、オペレータのエラーが低減し、貨幣カセットへの現金の移送をモニタする別の保安要員の必要がなくなるであろう。今までのところ、この長年にわたる必要の好適な解決策は欠如していた。
【０００６】
貨幣カセットは、水平の向きに動作するように設計され、ばね板は水平の紙幣スタックを取り出し窓（取り出し口とも呼ばれる）に付勢するように選択されたばね力を有するばねによって付勢される。
【発明の概要】
【発明が解決しようとする課題】
【０００７】
本発明の目的は、少なくとも部分的に上記の問題を未然に防止することである。
【０００８】
本発明の他の目的は、閉鎖現金サイクル環境をサポートすることである。
【０００９】
本発明の他の目的は、許可されたオペレータが装填プロセス中にカセット、ばね板及び紙幣に接触する必要をなくす、紙幣を貨幣カセットに装填する方法及び装置を提供することである。
【００１０】
本発明の他の目的は、装填プロセスの自動化を容易にするために、現在使用中の貨幣カセットの再設計が不要である従来の貨幣カセットの装填方法を提供することである。
【００１１】
本発明の他の目的は、貨幣カセットから蓋を取外す必要なしに、又は補充された貨幣カセットが使用される場所（銀行支店又は小売店場所など）から貨幣カセットを取外す必要なしに、従来の貨幣カセットの補充を現場で提供することである。
【課題を解決するための手段】
【００１２】
本発明の第１の態様によれば、貨幣カセットの蓋を取外すことなく、貨幣カセット内に少なくとも１枚の紙幣を装填する貨幣カセット補充装置であって、
貨幣カセットを装填位置に配置し、貨幣カセットの取り出し口を開ける貨幣カセット支持体と、
少なくとも１枚の紙幣に係合し、該係合された紙幣を取り出し口を通して貨幣カセット内に挿入するように動作可能な貨幣挿入装置と、
を備える貨幣カセット補充装置が提供される。
【００１３】
任意選択として、貨幣挿入装置はプランジャを備える。プランジャは、貨幣カセットの完全に外側の第１の位置から、取り出し口を通って、少なくとも部分的に貨幣カセット内にある第２の位置へ延在できる。
【００１４】
任意選択として、貨幣カセット支持体は、貨幣カセットの対向する両側に係合するガイドレールを備える。あるいは、貨幣カセット支持体は、貨幣カセットが設置されるベース面を画定する。
【００１５】
任意選択として、貨幣カセット支持体は、カセットの取り出し口端部が取り出し口端部の反対側のカセットのハンドル端部よりも低くなるように、例えば、貨幣カセットを傾斜させて保持するように構成できる。
【００１６】
任意選択として、貨幣カセット補充装置は、個別の紙幣又は紙幣の束を装置内に挿入するための紙幣挿入アパーチャをさらに備える。
【００１７】
任意選択として、貨幣カセット補充装置は、受領した紙幣の束を、紙幣挿入アパーチャから取り出し口に隣接する、受領した束を貨幣カセット内の任意の紙幣の向きに合った向きに維持するプレステージホルダへ搬送する搬送装置をさらに備える。
【００１８】
任意選択として、プレステージホルダは、取り出し口に整列した１対のドライブスルーアパーチャを画定する。ドライブスルーアパーチャ（又は少なくともプランジャ側のドライブスルーアパーチャ）は、取り出し口よりも寸法が小さくてもよい。
【００１９】
本発明の第２の態様によれば、少なくとも１枚の紙幣を貨幣カセット内に装填する方法であって、
少なくとも１枚の紙幣を貨幣カセットの取り出し口に隣接する位置にあるプレステージホルダで支持するステップと、
プレステージホルダと取り出し口とを通して、プランジャを少なくとも部分的に貨幣カセット内へ延在させて、プレステージホルダで支持された少なくとも１枚の紙幣を貨幣カセット内のスタックされた構成に付勢するステップと、
の各ステップを含む方法が提供される。
【００２０】
好適には、上記方法は、
プランジャを後退位置へ後退させるステップと、
紙幣又は紙幣の束をプレステージホルダへ搬送するステップと、
搬送された紙幣又は紙幣の束を貨幣カセット内のスタックされた構成に付勢する延在ステップを繰り返すステップと、
の各ステップをさらに含む。
【００２１】
好適には、上記方法は、紙幣をセキュアな制御ゾーンから提供し、自動的に紙幣をプレステージホルダに配置して、続いてカセット内に配置するステップをさらに含む。
【００２２】
任意選択として、上記方法は、紙幣インターフェイスから紙幣を受領するステップと、受領した紙幣の妥当性検査を行うステップと、受領した紙幣をプレステージホルダへ搬送するステップとをさらに含む。
【００２３】
任意選択として、プレステージホルダは、装填口を画定してもよい。
【００２４】
好適には、上記方法は、１枚又は複数枚の紙幣がカセット内にある状態で、カセットの付勢された付勢板部材によって投入紙幣又は紙幣の束を支持するステップをさらに含む。
【００２５】
本発明の第３の態様によれば、貨幣カセット内に少なくとも１枚の紙幣を装填する貨幣カセット補充装置（ＣＣＲＴ）であって、
貨幣カセットを装填位置に配置する貨幣カセット支持体と、
上記装填位置に配置された貨幣カセットの取り出し口に対応する位置に配置された少なくとも１つの装填口を備える紙幣支持体と、
装填口の第１の側に配置され、装填口を通して、後退位置から貨幣カセット内の延在位置へ移動可能なプランジャと、
を備える貨幣カセット補充装置（ＣＣＲＴ）が提供される。
【００２６】
好適には、取り出し口及び装填口は、サイズと形状が実質的に同様で、カセットが装填位置にあるときに対向した並列関係に配置される。
【００２７】
好適には、紙幣支持体は、一方の側壁が装填口を画定し、残りの側壁がドライブスルーアパーチャを画定する離間した１対の側壁と、側壁間に１枚又は複数枚の紙幣を支持する支持面を有するベースとを備える。
【００２８】
好適には、紙幣支持体は、１枚又は複数枚の紙幣を搬送路から受領する、離間した側壁間の開口区域を画定する。
【００２９】
好適には、ＣＣＲＴは、搬送路と紙幣のスタックを紙幣支持体内に配置される上記紙幣支持体との間にバリスティックスタッカをさらに備える。
【００３０】
好適には、プランジャは、ドライブスルーアパーチャ又は装填口のいずれかよりも小さい表面積を有する当接面を画定し、装填口から離間してプランジャが後退位置にあるときに紙幣又は紙幣の束を装填口に配置できるプランジャ本体を備える。
【００３１】
好適には、ＣＣＲＴは、プランジャを後退位置と延在位置との間で選択的に移動させてプランジャを貨幣カセット内の内部空間に関してそれぞれの外部又は内部位置に配置する駆動モジュールをさらに備える。
【００３２】
好適には、駆動モジュールは、モータ又はソレノイドなどを備える。
【００３３】
好適には、プランジャが延在位置へ移動しているときに、プランジャは、紙幣又は紙幣の束を紙幣支持体の装填口位置からカセットのプッシャープレート又はプッシャープレートによってカセット内で支持されている少なくとも１枚の紙幣に対してカセット内に付勢する。
【００３４】
好適には、貨幣カセット支持体は、カセット支持面と、装填位置に配置された貨幣カセットのそれぞれのチャネルに位置して、それによりカセットの取り出し口を開ける複数の細長いタインとを有する。
【００３５】
好適には、細長いタインは、上記チャネル内にあるときに貨幣カセット内の摺動シャッタを開けるように配置される。
【００３６】
好適には、貨幣カセット支持体は、貨幣カセットを水平面に対してある角度に配置する傾斜支持面を含む。傾斜支持面は、カセットを１０°〜７０°の範囲内の角度に支持できる。プッシャープレートは水平面に対して大きすぎる角度では動作できないばねによって付勢されるため、傾斜支持面の角度は１０°〜４０°、又は１５°〜３０°の範囲内であってもよい。
【００３７】
本発明の第４の態様によれば、貨幣カセット内に紙幣を確実に配置する方法であって、
貨幣カセットの取り出し口を通して紙幣を自動的に配置して、続いて投入するステップを含む方法が提供される。
【００３８】
本発明の第５の態様によれば、媒体アイテムを媒体カセット内に安全に配置する方法であって、
媒体カセットの取り出し口を通して媒体アイテムを自動的に配置して、続いて投入するステップを含む方法が提供される。
【００３９】
本発明の第６の態様によれば、少なくとも１つの媒体アイテムを媒体カセット内に装填する媒体カセット補充装置であって、
媒体カセットを装填位置に配置する媒体カセット支持体と、
上記装填位置に配置された媒体カセットの取り出し口に対応する位置に配置された少なくとも１つの装填口を備える媒体アイテム支持体と、
装填口の第１の側に配置され、装填口を通して、後退位置から媒体カセット内の延在位置へ移動可能なプランジャと、
を備える媒体カセット補充装置が提供される。
【００４０】
本発明は、貨幣カセットのばね荷重の性質を利用して、カセット自体に実質的な設計変更を加えることなく従来のカセット設計を搭載することを可能にする。
【００４１】
また本発明は、貨幣カセットに媒体アイテムを自動的に装填／補充できるという利点を提供する。
【００４２】
本発明の実施形態を、添付の図面を参照しながら以下に説明するが、これは単なる例示としてのものにすぎない。
【図面の簡単な説明】
【００４３】
【図１】貨幣カセットの形態の媒体カセットの概略斜視図である。
【図２】図１に示す貨幣カセット本体部の蓋を取った状態の概略図である。
【図３】図１及び図２に示すカセットの本体部の簡略化された側断面図である。
【図４】図１〜図３に示すタイプの貨幣カセット内に紙幣を補充するための本発明の一実施形態による貨幣カセット補充装置を示す図である。
【図５】図４の装置の一部（紙幣支持体）の詳細図である。
【００４４】
図面で、同様の参照番号は同様の部分を指す。
【発明を実施するための形態】
【００４５】
図１は、紙幣（銀行券と呼ばれることもある）を保管するポリカーボネート製の貨幣カセットの形態の媒体カセット１００を示す。図１に示すカセット１００は、ラッチ１３０によって本体１２０に固定された蓋１１０を有する。カセット本体１２０は、カセット１００の遠端部１５０（「ピッキング端部」と呼ばれる）から離間した第１の端部１４５（「ハンドル端部」と呼ばれる）にハンドル１４０を有する。ハンドル端部１４５は、「非ピッキング端部」とも呼ばれる。閉じた取り出し窓（図２に詳細に示す）がピッキング端部１５０に配置される。
【００４６】
図１に示すカセット１００の蓋１１０を取った状態を示す図２に示すように、ピッキング端部１５０は、貨幣カセット１００の搬送時に取り出し窓２１０（取り出し口とも呼ばれる）を覆うローラシャッタ２００を含む。貨幣カセット１００が貨幣ディスペンサ（図示せず）、例えば、現金自動預払機（ＡＴＭ）内に挿入されると、貨幣ディスペンサ（図示せず）内のタイン（図示せず）が本体１２０内に画定されたチャネル（図２には図示せず）内に装着されたブロック（図示せず）に係合してローラシャッタ２００を上昇させ、取り出し窓２１０を開ける。図２はまた、プッシャープレート２４０が貨幣カセット１００内に配置されて紙幣の束を貨幣カセット１００のピッキング端部１５０側へ付勢する様子を示す。
【００４７】
図３は、非ピッキング端部１４５からピッキング端部１５０へ向かってカセット１００の全長にわたって長手方向に延在する中央レール３１０がその下に提供された床３００を含む様子を示す。付勢されたプッシャープレート２４０は、中央レール３１０上に摺動可能に装着され、ラチェット機構（図示せず）によってそこに連結される。プッシャープレート２４０は、床３００の下に位置するコイルばね（図示せず）によってピッキング端部１５０側へ付勢される。プッシャープレート２４０は、紙幣の束（配列とも呼ばれる）を押し込み、それにより紙幣を取り出し窓２１０側へ付勢し、そのため、取り出し窓２１０が開いているときには、貨幣ディスペンサ（図示せず）によって取り出し窓２１０を通して紙幣を取り出すことができる。
【００４８】
図４は、本発明の一実施形態による貨幣カセット補充装置（ＣＣＲＴ）４００を示す。ＣＣＲＴ４００は、図示の貨幣カセット１００などの容器内に紙幣を装填するセキュアシステムを提供する。ＣＣＲＴ４００は、アクセスドア４１５を介して許可された人員だけがアクセス可能な堅固なハウジング４１０を有する装置である。ドア４１５が図４では閉鎖位置で示されているが、ドア４１５は紙幣を空の又は部分的に空の貨幣カセット１００内に装填するときにはいつでも開けて安全にロックすることができることを理解されたい。ドア４１５を開けて装置４００内の空の（又はほぼ空の）カセット１００に補充するか、又は補充されたカセット１００を取外す。
【００４９】
ドア４１５が開いた状態では、許可者は貨幣カセット１００を貨幣カセット支持体４２０上の装填位置へ摺動させることができる。本発明の他の実施形態では、貨幣カセットを配置する別の機構を利用してもよい。人物がカセット１００を貨幣カセット支持体４２０上に摺動させるにつれて、支持体４２０に固定された１対のタイン４２５がカセット１００内に延在してシャッタ２００を開けて（図４には図示せず）、取り出し窓２１０のアパーチャを露出させる。支持体４２０は、ピッキング端部１５０をハンドル端部１４５よりも下げた状態で貨幣カセット１００を非垂直の向きに配置して支持する。これによって、プッシャープレート２４０は、装填された紙幣を取り出し窓２１０側へ付勢する際に重力によって確実に支援される。この実施形態では、支持体４２０は、水平面に対して約２５°の角度に保管貨幣カセット１００を配置し支持する。その他の実施形態では、支持体４２０は、水平面に対して約１５°〜６０°の角度に貨幣カセット支持し配置することができる。支持体４２０は、貨幣カセット１００の対向する側上の補完構成体、貨幣カセット１００が載っている支持面などに係合するガイドレールを備える。
【００５０】
また、ＣＣＲＴ４００は、許可された人員が紙幣の束を装置４００に導入することができる紙幣挿入アパーチャ４３０を含む。紙幣挿入アパーチャ４３０は、スロットタイプ又はポケットタイプの入力機構であってもよい。紙幣の束は、補充主体（人間であってもよく、又はＣＣＲＴ４００に連結された払い出し装置であってもよい）によって挿入アパーチャ４３０内に挿入される。次に、紙幣の束は紙幣束搬送装置４３６の対向するベルト４３２、４３４の間に締め付けられ、紙幣の束は搬送路４４０に沿って搬送されてプレステージホルダの形態の紙幣支持体４４２内に下方へ駆動される。
【００５１】
プレステージホルダ４４２はその詳細が図５に示され、駆動システム４５０によって駆動されるメカニカルラム（又はプランジャ）４４８及び取り出し窓２１０に整列した１対のドライブスルーアパーチャ５４０、５５０を含む。メカニカルラム４４８に最も近いドライブスルーアパーチャ５４０は、ラム側ドライブスルーアパーチャと呼ばれる。取り出し窓２１０に最も近いドライブスルーアパーチャ５５０は、取り出し側ドライブスルーアパーチャ（又は装填口）と呼ばれる。
【００５２】
図５に示すように、プレステージホルダ４４２は、テーパし離間した側壁５０５、５１０を含み、紙幣の束を収容し、紙幣の束を整然とした配列として維持して貨幣カセット１００への装填に備える寸法を有する。側壁５０５、５１０は、テーパした縁部壁５１５、５２０によって離間し、一方の端部５３０でベース５２５によって閉止される。プレステージホルダ４４２は、ベース５２５の反対側の開いた端部５３５を画定する。開いた端部５３５は開口区域と呼ばれる。紙幣は、この開口区域５３５を通して紙幣束搬送装置４３６からプレステージホルダ４４２内に導入できる。プランジャ４４８に対向する側壁５０５は、ラム側ドライブスルーアパーチャ５４０を画定する。カセット１００に対向する側壁５１０は（カセット１００がＣＣＲＴ４００内に装着されているときに）、取り出し側ドライブスルーアパーチャ５５０（装填口５５０）を画定する。プレステージホルダ４４２は、カセット１００内にいつでも自動的に投入できる所望の場所にある１枚又は複数枚の紙幣を支持する紙幣支持体の一例である。
【００５３】
ドライブスルーアパーチャ５４０，５５０は貨幣カセット１００内に装填される最小の紙幣の面積よりも小さいが、補充動作時に紙幣を取り出し側ドライブスルーアパーチャ５５０を通して押し出すには十分な大きさである。また、ラム側ドライブスルーアパーチャ５４０は、取り出し側ドライブスルーアパーチャ５５０より小さくてもよい。
【００５４】
動作中、メカニカルラム４４８は起動され、ラム側ドライブスルーアパーチャ５４０を通して直線的に延在し、その当接面５６０（図４を参照）はプレステージホルダ４４２内に位置する紙幣の束に係合し、紙幣の束を取り出し側ドライブスルーアパーチャ５５０を通して貨幣カセット１００内に駆動する。
【００５５】
メカニカルラム４４８が後退したとき、取り出し窓２１０が各紙幣よりも小さいので紙幣の束はカセット１００内に残っていて、そのため、ピッキング端部１５０は、紙幣が貨幣カセット１００から排出されることを防止する。
【００５６】
したがって、この実施形態は、紙幣を貨幣カセット１００内に「詰め込んで」、束ごとにカセットに補充するシーケンスを提供する。このシーケンスは、貨幣カセット１００を装填ノードの装填位置に配置し、カセット１００内のシャッタ２００を開けて標準キープレート（タイン４２５を含む）を介して取り出し領域２１０を露出させる。紙幣又は紙幣の束は、ホルダ４４２へ搬送される。この位置で、紙幣は「留め置かれ」、カセット１００内の紙幣のスタックに整列する。スタッファ「シュー」とも呼ばれるプランジャ４４８（又はラム）は下方に駆動され、紙幣の中央をホルダ４４２の開口５５０を通して、カセット１００内にすでに存在する紙幣の表面に（又はカセット１００が空の場合、プッシャープレート２４０に）押し付ける。プランジャ４４８は、紙幣の縁部がホルダ４４２内のアパーチャ５５０の縁部とカセット１００の前面の周囲に反転するまでばね式プッシャープレート２４０の反作用の運動によって内部に進入して収容される。したがって、紙幣は、カセット１００のスタック内に固定される。その後、プランジャ４４８を後退させて次の紙幣又は束のために搬送装置を空にすることができる。
【００５７】
本発明の実施形態では、１つ又は複数の負圧吸引素子を用いてスタッファシュー／プランジャ／ラムに紙幣を解放可能に固定することができる。これによって、投入紙幣の整列が容易になり、装填不良又は投入紙幣の斜行のリスクが低減される。
【００５８】
別の実施形態では、プレステージホルダ４４２は、プランジャ４４８が紙幣の束に係合する前に紙幣の束を所定位置に締め付ける１つ又は複数の解放可能クランプを含んでもよい。プランジャ４４８が紙幣の束に係合すると、クランプは解放されて束をカセット１００へ搬送することができる。
【００５９】
別の実施形態では、紙幣挿入アパーチャ４３０から紙幣支持体４４２への搬送は、垂直の（又はほぼ垂直の）落下で終わらなくてもよい。上記実施形態では、バリスティックスタッカを使用して、紙幣が紙幣支持体４４２に正確に確実に送達されるようにできる。
【００６０】
別の実施形態では、プレステージホルダを非垂直の向きに（例えば、一般に水平の向きに）配置して紙幣の束のプレステージホルダへの搬送を容易にすることができる。次に、プレステージホルダは、非垂直の向きから垂直の向きへ枢動できる。その後、上記実施形態で説明したように、プランジャ１４８を延在させ、次に後退させることで、プレステージホルダから貨幣カセットへの紙幣の束の装填が実行される。
【００６１】
別の実施形態では、貨幣カセット以外の媒体カセットの補充ができる。例えば、チケット又はクーポンを含む媒体カセットの補充が可能である。
【００６２】
本明細書の説明及び特許請求の範囲全体を通して、「備える」及び「含む」という用語とその変形は、「含むが、これに限定されない」という意味であり、その他の部分、付加物、構成要素、整数又はステップを除外するよう意図されていない（且つ除外しない）。本明細書の説明及び特許請求の範囲全体を通して、単数は文脈上そうでないことが要求されない限り複数を含む。特に、不定冠詞を用いる場合、本明細書は、文脈上そうでないことが要求されない限り、単数だけでなく複数も意図すると理解すべきである。
【００６３】
本発明の特定の態様、実施形態又は実施例に関連して説明した特徴、整数、特性又はグループは、互換性がない場合を除き、本明細書に記載する他のいかなる態様、実施形態又は実施例にも適用可能であると理解すべきである。本明細書で開示されたすべての特徴（任意の添付の特許請求の範囲、要約書及び図面を含む）、及び／又は開示された任意の方法又はプロセスのすべてのステップは、特徴及び／又はステップの少なくとも幾つかが相互に排他的である組合せを除き、任意の組合せに組み合わせることができる。本発明は、上記実施形態のいかなる詳細内容にも限定されない。本発明を、本明細書（任意の添付の特許請求の範囲、要約書及び図面を含む）で開示された任意の新規の特徴又はその組合せに、あるいは開示された方法又はプロセスの任意の新規のステップ又はその組合せに発展させることができる。
【００６４】
本出願に関連し、本明細書と共に公開されている本明細書と同時に、又はそれ以前に出願されたすべての書類及び文献に留意されたい。
【産業上の利用可能性】
【００６５】
本発明は、現金自動預け払い機（ＡＴＭ又はＳＳＴ）における貨幣カセットの補充装置に関するものであって、産業上の利用可能性を有する。
【図１】
2014032658.tif 000003
【図２】
2014032658.tif 000004
【図３】
2014032658.tif 000005
【図４】
2014032658.tif 000006
【図５】
2014032658.tif 000007